(57)【特許請求の範囲】
【請求項１】
ケースに内蔵され、ロールテープ装着部に装着されたロールテープからテープを引出すテープ引出装置と、前記ケースの前面に設置されて適切に引出されたテープを切断するテープ切断装置とを具備するロールテープ自動切断機のテープ案内装置であって、
前記ロールテープ装着部と前記テープ切断装置との間に配置されるロールテープ自動切断機のテープ案内装置において、
前記テープの引出方向に対して垂直な方向（以下、横方向とする）の両端部のうちの一端部が、前記テープ引出装置の一方の側壁に、開閉動作可能にヒンジ接合され、該両端部のうちの他端部に係止突起が形成され、開放方向に付勢されている本体と、
前記本体のテープ上流端側に設置され、両側端部の外周に係止溝を有する第１案内ローラと、
前記本体内に前記横方向に相対移動可能に設置され、前記第１案内ローラの前記係止溝に嵌り込む固定片を有し、該横方向の移動で、該固定片が該本体の外部に突出して該係止溝に嵌り込む方向に付勢されている一対のストッパと、
前記本体のテープ下流端側に設置されている第２案内ローラと、
前記引出装置の他方の側壁に設置され、前記本体の前記係止突起を着脱可能に拘束して、該本体を閉じられた状態に保持するロックと、
を具備することを特徴とするロールテープ自動切断機のテープ案内装置。
【請求項２】
前記ロックは、前記本体の前記係止突起を引っ掛ける拘束位置と該係止突起を離す解除位置との間で揺動可能に、前記引出装置の前記他方の側壁にヒンジ接合され、該拘束方向に付勢されているフックを有する、
ことを特徴とする請求項１に記載のロールテープ自動切断機のテープ案内装置。
【請求項３】
前記テープ装着部の底に配され、前記ロールテープを支持するための複数個の案内ローラを備えている、
ことを特徴とする請求項１及び２のいずれか一項に記載のロールテープ自動切断機のテープ案内装置。
【発明の詳細な説明】
【０００１】
【発明が属する技術分野】
本発明は、ロールテープ自動切断機に関するもので、より詳細には、ロールテープ装着部とテープ切断装置との間に配置され、ロールテープから引き出されたテープを案内するロールテープ自動切断機のテープ案内装置に関する。
【０００２】
【従来の技術】
一般的に、製造業体から商品を出荷するときや、百貨店、大形割引販売場等を初めとする各種商店で商品を販売するときには、これらの商品を適切に包装する。この際、包装紙の端部相互を接着させる手段として、帯状の接着テープが主に使用される。
【０００３】
この商品の包装時、より効果的で迅速な作業のために、ロール状の大形テープを内蔵し、包装時テープを適切な長さに引出した後、自動的に切断してくれるロールテープ自動切断機が出現し広く使用されている。
【０００４】
このようなロールテープ自動切断機は、図８に示すように、上下部ケース１，２と、これらケース１，２内に設置され、駆動装置により駆動される多数のローラでテープを引出すテープ引出装置３と、上部ケース１の前方に開閉可能に設置され引出されたテープを切断するテープ切断装置４とを備えている。
【０００５】
【発明が解決しようとする課題】
このようなロールテープ自動切断機では、ロールテープを係止溝（図示されていない）に挿入し使用しているが、このロールテープの内径が多樣に製作されるに従い、係止溝とロールテープの内径が一致しないばかりでなく、テープの引出時テープに適切な張力を維持させるために多数の案内ローラを所定形態に配列し、ロールテープからテープを引出するようになっているため、以下のような問題点が内在されている。
（１）巻かれたロールテープが引出される時、接着剤及びテープの材質により直角に折れながら引出されるが、テープの接着力に従い差異は発生することがあるが、テープが引出される時折れた部分が変形されてまっすぐに伸びなくて、ねじれる現象が発生する。
（２）テープが多数の案内ローラを介在し引出される過程で、ローラ間に重畳しながらかまれるか、ローラにもつれてくっ付き、この状態で引出動作が継続されて、各ローラに負荷が発生することで回転されなくなり、この場合、作業者が確認して重畳するか、もつれてくっついたテープを分離しなければならないぱかりか、それによる作業遲延が誘発する。
（３）テープの内径が一致しなくてテープかけとの中心が均一に維持されなくて作業が遲延されるのは勿論、甚しい場合はロールテープの使用が不可能になる。
【０００６】
本発明は、上述した従来の問題点を解決するために案出されたもので、ロールからテープを引出す時、テープが巻かれるか中心が離脱されてねじれる現象をできる限り防止できながら、移送過程でローラにひっかかりエラーが発生される場合、両側面に移動可能に設置された案内板を調節し簡便に措置することができる、ロールテープ自動切断機のテープ案内装置を提供することを目的とする。
【０００７】
【課題を解決するための手段】
以上の目的を達成するため、本発明によるロールテープ自動切断機のテープ案内装置は、
ケースに内蔵され、ロールテープ装着部に装着されたロールテープからテープを引出すテープ引出装置と、前記ケースの前面に設置されて適切に引出されたテープを切断するテープ切断装置とを具備するロールテープ自動切断機のテープ案内装置であって、
前記ロールテープ装着部と前記テープ切断装置との間に配置されるロールテープ自動切断機のテープ案内装置において、
前記テープの引出方向に対して垂直な方向（以下、横方向とする）の両端部のうちの一端部が、前記テープ引出装置の一方の側壁に、開閉動作可能にヒンジ接合され、該両端部のうちの他端部に係止突起が形成され、開放方向に付勢されている本体と、
前記本体のテープ上流端側に設置され、両側端部の外周に係止溝を有する第１案内ローラと、
前記本体内に前記横方向に相対移動可能に設置され、前記第１案内ローラの前記係止溝に嵌り込む固定片を有し、該横方向の移動で、該固定片が該本体の外部に突出して該係止溝に嵌り込む方向に付勢されている一対のストッパと、
前記本体のテープ下流端側に設置されている第２案内ローラと、
前記引出装置の他方の側壁に設置され、前記本体の前記係止突起を着脱可能に拘束して、該本体を閉じられた状態に保持するロックと、
を具備することを特徴とする。
【０００８】
ここで、本発明のひとつの望ましい特徴によれば、前記ロックは、前記本体の前記係止突起を引っ掛ける拘束位置と該係止突起を離す解除位置との間で揺動可能に、前記引出装置の前記他方の側壁にヒンジ接合され、該拘束方向に付勢されているフックを有する。
【０００９】
以上、本発明は、ロールから引出されるテープが案内ローラにより、引出時点から適切な張力で曲面に従い引出されるようになり、テープを引出する時、従来の如くテープがねじれる現象を最大限防止できることは勿論、移送過程でテープがローラにひっかかってエラーが発生する場合にも、非常に簡便に除去することができるので、ロールテープ自動切断機の安全性と信頼性向上等に大きな効果を発揮することになる。
【００１０】
【発明の実施の形態】
以下、図１〜図７を参照して、本発明に係るロールテープ自動切断機のテープ案内装置に関する望ましい一実施形態について詳細に説明する。
【００１１】
図１に示すように、本実施形態のロールテープ自動切断機は、ロールテープからテープを引き出すテープ引出装置３と、このテープ引出装置３のテープ装着部３１と供給ローラ３２との間に配置されて、ロールテープから引出されたテープに適切な張力を維持させるものである。
【００１２】
テープ装着部３１の底面には、図１及び図７に示すように、ロールテープＲを支持するための複数個の案内ロール３５が設置されている。
【００１３】
テープ案内装置１０は、図４に示すように、テープ引出装置３のふたつの側壁３３，３４間に開閉可能に設置される本体１１と、この本体１１のテープ上流端及びテープ下流端に、それぞれ回転可能に支持されて引出移送されたテープに接触する第１及び第２の案内ローラ１６，１７と、本体１１に設置され第１案内ローラ１６の回転を選択的に拘束するストッパ１８と、そのストッパ１８を作動させるつまみ１８ｂと、本体１１を閉じた状態に固定させるロック２０と、を備えている。
【００１４】
本体１１は、横方向の端部の固定端にふたつのラグ１２，１２を具備してテープ引出装置３の一方の側壁３３にヒンジピン１３で揺動可能に接続され、ヒンジピン１３に設置されたトーションスプリング１４により、開放方向に付勢されている。
【００１５】
本体１１の横方向の端部の自由端には、ロック２０のフック２１，２１にひっかかる係止突起１５，１５が突出形成されている。
【００１６】
第１案内ローラ１６の両側端部の外周には、図４及び図６に示すように、ストッパ１８の固定片１８ａが嵌り込む係止溝１６ａが同一軸線上に位置するようにそれぞれ形成されている。このような係止溝１６ａは、第１案内ローラ１６の円周方向に従い適正角度間隔で複数個ずつ具備されることもできる。
【００１７】
ストッパ１８は、互いに対向されるように配置される対で具備され、本体１１の内部に間隔をおいて、ローラ１６の軸方向に移動可能に設置されている。
【００１８】
各ストッパ１８の外端には、本体１１の貫通スロット１１ａを通じて選択的に外部に突出されて第１案内ローラ１６の係止溝１６ａに嵌り込む固定片１８ａが、ローラ１６の半径方向に形成される。
【００１９】
そして、ストッパ１８の内端には、それを横方向に移動させるためのつまみ１８ｂが、移動方向に対して垂直方向に具備されて、本体１１に軸方向に長く形成された案内スロット１１ｂを通じて外部に突出している。
【００２０】
望ましくは、２つのストッパ１８は、弧形の板スプリング１９により、ローラ１６の半径方向、言い換えると、第１案内ローラ１６の係止溝１６ａに、ストッパ１８の固定片１８ａが嵌り込む方向に付勢されている。
【００２１】
ロック２０は、図４及び図５に示すように、テープ引出装置３の他側の側壁３４にヒンジピン２２でピボット設置され、その揺動端に、本体１１の係止突起１５を引っ掛けるフック２１が形成されている。このロック２０は、スプリング２３により、その揺動端に形成されているフック２１が本体１１の係止突起１５を引っ掛ける方向に付勢されている。
【００２２】
次に、以上のように構成されている本実施形態のテープ案内装置１０の作用を説明する。
【００２３】
図２及び図４は、テープ案内装置１０の本体１１の係止突起１５がロック２０フック２１に引っ掛けられ、閉状態に固定されている状態を示している。
【００２４】
この状態で、スプリング２３の付勢力に抗して、ロック２０を解除方向に動かすと、フック２１が係止突起１５の拘束を解除することになる。すると、トーションスプリング１４の復元弾性により、本体１１が図３及び５に示すように回転して開状態となる。
【００２５】
本体１１が開状態になった後、テープ引出装置３のテープ装着部３１にロールテープＲ(図７に示す)を装着し、適切にテープを引出してその先端を供給ローラ３２，３２にかませてやる。
【００２６】
そして、再び図２及び図４のように、テープ案内装置１０を閉状態に戻す。すると、本体１１の係止突起１５がロック２０のフック２１に滑り接触し、最終的にはフック２１に引っ掛かり、閉状態に固定される。
【００２７】
このとき、テープが案内装置１０の第１及び第２案内ローラ１６，１７に接して適切に押されて一定の張力が維持されるのは勿論、従来の樣に角を成しながら引出されることなく、滑らかな曲線を成しながら案内ローラ１６，１７の回転と共に円滑に引出される。
【００２８】
これに従いロールから引き出された部分が折れなくてテープの変形が発生されないし、切断されたテープがねじれる現象が效果的に防止される。
【００２９】
一方、テープがロールテープから解け易い等で、テープにより強い張力が要求される場合には、図５及び６に示すように、本体１１を開けてから、つまみ１８ｂ,１８ｂを相対する横方向に操作して、ストッパ１８，１８を外側（横方向）に移動させる。そして、これとほぼ同時に、第１案内ローラ１６を適切に回転させる。
【００３０】
すると、ストッパ１８の固定片１８ａが、板スプリング１９の弾性により本体１１の貫通スロット１１ａを通じて外部に突出し、第１案内ローラ１６の係止溝１６ａがそこに対向していると、この係止溝１６ａに嵌り込み、第１案内ローラ１６の回転を拘束する。
【００３１】
このように、第１案内ローラ１６の回転を拘束させた後、本体１１が閉状態になるように回転させる。すると、本体１１の係止突起１５が、ロック２０に滑り接触しつつ、ロック２０を解除位置に押しやると、閉状態になる。本体１１が閉状態になると、縮んでいたスプリング２３が伸びようとして、ロック２０を係止突起１５の拘束方向に移動させ、最終的には、ロック２０で係止突起１５が拘束され、本体１１が閉状態に固定される。
【００３２】
この場合、テープの引出時、第１案内ローラ１６が回転しないので、テープに摩擦抵抗が発生して、テープに張力を加えることになる。つまり、テープをよりびんと緊張した状態にすることができる。
【００３３】
なお、ロールテープＲは、図７に示すように、テープ装着部３１の底面に設置された複数個の案内ロール３５により支持されているので、内径及び外径が変更しても、ロールテープＲを円滑に案内することができる。
【００３４】
【発明の効果】
以上で説明した如く本発明に係るロールテープ自動切断機のテープ案内装置によれば、ロールテープからテープを引出する時に、テープが適切な張力を維持すると同時に、緩慢な曲線を成しながら引出されるのでテープが折れて巻かれる等の変形が発生しないし、切断されたテープもねじれることがないようになる。
【００３５】
また、必要に応じて引出されるテープの張力を調節することができ、テープをより円滑に引出させることができる。
【００３６】
従って、本発明は、ロールテープ自動切断機の使用の便宜性と信頼性を向上させる非常に優秀な効果を持つものである。
【図面の簡単な説明】
【図１】本発明に係る一実施形態におけるロールテープ自動切断機の分解斜視図である。
【図２】本発明に係る一実施形態におけるテープ案内装置の上斜視図である。
【図３】本発明に係る一実施形態におけるテープ案内装置の底斜視図である。
【図４】本発明に係る一実施形態における閉状態のテープ案内装置の平面図である。
【図５】本発明に係る一実施形態における開状態のテープ案内装置の正面図である。
【図６】本発明に係る一実施形態における開状態のテープ案内装置の平面図である。
【図７】本発明に係る一実施形態におけるロールテープ自動切断機の案内ロールの配置を示す説明図である。
【図８】従来のロールテープ自動切断機の分解斜視図である。
【符号の説明】
11: 本体                          11a: (本体の)貫通スロット
15: (本体の)係止突起              16: 第1案内ローラ
16a: (第1案内ローラの)係止溝
17: 第2案内ローラ                 18: ストッパ
18a: (ストッパの)固定片           19: 板スプリング
20: ロック                        21: (ロックの)フック
31: (引出装置の)テープ装着部
32: (引出装置の)供給ローラ        33，34: (引出装置の)側壁
【図１】
0003718501.tif 000002
【図２】
0003718501.tif 000003
【図３】
0003718501.tif 000004
【図４】
0003718501.tif 000005
【図５】
0003718501.tif 000006
【図６】
0003718501.tif 000007
【図７】
0003718501.tif 000008
【図８】
0003718501.tif 000009